(57)【要約】【課題】  冷却効率・能力が高く、ノートパソコンなどの小型で携帯可能な電子装置の水冷システムとそれを備えた小型電子装置を提供する。【解決手段】  本体筐体１０内に、ＣＰＵのような発熱素子３０を備えた電子機器ための液冷システムであって、発熱素子に熱的に接続され、その発熱を内部に通流する液体冷媒に伝達するための冷却ジャケット４０と、冷却ジャケットにおいて液体冷媒に伝達された熱を機器の外部へ放出するラジエータ部１００と、そして、冷却ジャケットとラジエータ部とを含むループに液体冷媒を循環するための循環ポンプ５０とを備え、ラジエータ部は、流路を蛇行して形成した蛇行流路１１０と放熱部１３０を備えると共に、蛇行流路を取り囲んでタンク部を形成している。【選択図】      図１
2006235914.tif 000002
【特許請求の範囲】
【請求項１】
筐体内に発熱する半導体素子を備えた電子機器ための液冷システムであって、前記半導体素子に熱的に接続され、その発熱を内部に通流する液体冷媒に伝達するための冷却ジャケットと、前記冷却ジャケットにおいて液体冷媒に伝達された熱を機器の外部へ放出するラジエータ部と、そして、前記冷却ジャケットと前記ラジエータ部とを含むループに前記液体冷媒を循環するための循環ポンプとを備えており、
前記ラジエータ部は、平面上に、液体冷媒の熱を前記筐体の外部に放熱するため放熱部を備えると共に、当該放熱部を取り囲んで形成した液体冷媒を貯留するためのタンク部を備えていることを特徴とする液冷システム。
【請求項２】
前記請求項１に記載した液冷システムにおいて、前記ラジエータ部の放熱部は、前記液体冷媒の流入口と前記液体冷媒の流出口とを有する液流路からなり、前記タンク部は、前記液体冷媒を通流させるための開口部で前記放熱部の液流路と接続され、前記放熱部の流入口と流出口のいずれか一方に接続される導管と交差して前記液体冷媒の貯留部を形成することにより、前記放熱部を回周して配置した貯留部で構成されたことを特徴とする液冷システム。
【請求項３】
前記請求項１に記載した液冷システムにおいて、前記放熱部の高さと前記タンク部の高さをほぼ同じ厚さで構成したことを特徴とする液冷システム。
【請求項４】
前記請求項１に記載した液冷システムにおいて、前記ラジエータ部の放熱部を、内部に液体冷媒の通流する流路を蛇行して形成したことにより形成したことを特徴とする液冷システム。
【請求項５】
前記請求項２に記載した液冷システムにおいて、前記ラジエータ部は、前記放熱部と前記タンクとを一体に形成したことを特徴とする液冷システム。
【請求項６】
前記請求項５に記載した液冷システムにおいて、前記ラジエータ部は、前記放熱部と前記タンクとを、板状の金属板により形成したことを特徴とする液冷システム。
【請求項７】
前記請求項１に記載した液冷システムにおいて、前記ラジエータ部の前記放熱部を形成する一方の表面に放熱部材を取り付けたことを特徴とする液冷システム。
【請求項８】
前記請求項７に記載した液冷システムにおいて、前記ラジエータ部の前記放熱部を形成する一方の表面に取り付けた放熱部材を、放熱フィンにより構成したことを特徴とする液冷システム。
【請求項９】
前記請求項７に記載した液冷システムにおいて、前記ラジエータ部の前記放熱部を形成する一方の表面に取り付けた放熱部材を、熱伝導に優れた材料からなるコルゲート板により形成したことを特徴とする液冷システム。
【請求項１０】
前記請求項８又は９に記載した液冷システムにおいて、前記放熱部を、一方の面に形成された前記液体冷媒の流入口と前記液体冷媒の流出口とを有する液流路と、前記流路が形成された面と反対の面に形成された前記放熱部材で構成し、前記タンク部の貯留部高さを、前記放熱部の液流路と放熱部材の合わせた高さとほぼ同じ高さで構成したことを特徴とする液冷システム。
【請求項１１】
前記請求項１に記載した液冷システムにおいて、前記ラジエータ部を形成する前記タンクの内部には、外部からの液体冷媒を前記タンク内に導入し、又は、前記タンク内の液体冷媒を外部へ導出するための導管が、前記タンクの高さの略１／２以下の範囲で設けられていることを特徴とする液冷システム。
【請求項１２】
発熱する半導体素子をその内部に配置した第１の筐体と、当該第１の筐体に対して可動で、かつ、その一部には少なくともな表示部を備えた第２の筐体とを備えた小型電子装置であって、前記請求項１乃至９に記載した液冷システムを、前記第２の筐体に取り付けたことを特徴とする小型電子装置。
【請求項１３】
前記請求項１２に記載した小型電子装置において、前記液冷システムは、前記第２の筐体に備えた前記表示部の裏側に取り付けたことを特徴とする小型電子装置。
【発明の詳細な説明】
【技術分野】
【０００１】
本発明は、ラップトップ型やノート型と呼ばれるパーソナルコンピュータ等の、所謂、小型で携帯可能な電子装置であって、その内部に発熱素子である半導体集積回路素子を搭載した電子装置を液体冷媒により効率的に冷却することが可能な液冷システムと、かかる液冷システムを備えた小型電子装置に関する。
【背景技術】
【０００２】
ラップトップ型やノート型と呼ばれるパーソナルコンピュータ等、小型で携帯可能な電子装置では、その筐体の内部に、発熱体である、ＣＰＵ（Central Processing Unit）に代表される半導体集積回路素子を備えており、そのため、通常、当該発熱素子の正常な動作を確保するため、冷却が必要とされている。従来、かかる冷却を実現するため、一般的には、ヒートシンクと呼ばれるフィンを一体に形成した伝熱体を当該発熱素子に熱的に接続して取り付け、それに冷却風を送るファンを備えた、所謂、空冷式の冷却システムにより行われていた。
【０００３】
しかしながら、近年、上記発熱素子である半導体集積回路素子の小型化及び高集積化、更には、その高機能化に伴って、発熱素子における発熱が増大すると共に、発熱部位の局所化なども生じており、そのためにも、従来の空冷式の冷却システムに代えて、例えば、水等の冷媒を用いた、冷却効率の高い液冷式の冷却システムが注目され、採用されてきている。
【０００４】
上述したラップトップ型やノート型のパーソナルコンピュータなどの小型で携帯可能な電子装置において用いられ、冷却効率の高い液冷式の冷却システムとしては、例えば、以下の特許文献等によっても知られるように、一般に、発熱体であるＣＰＵの表面に、所謂、受熱（冷却）ジャケットと呼ばれる部材を直接に搭載し、他方、この受熱ジャケットの内部に形成された流路内に液体冷媒を通流させる。即ち、ＣＰＵからの発熱を上記ジャケット内を流れる冷媒に伝達し、もって、発熱体を高効率で冷却するものである。なお、かかる液冷式の冷却システムでは、通常、上記冷却ジャケットを受熱部としてヒートサイクルが形成されており、具体的には、上記液体冷媒をサイクル内に循環させるための循環ポンプ、上記液体冷媒の熱を外部に放熱するための放熱部であるラジエータ、更には、必要に応じ、サイクルの一部に設けられた液体冷媒を貯留するための冷媒タンクを備えており、そして、これらを、例えば、金属製のチューブやゴムなどの弾性体からなるチューブを介して接続している。
【０００５】
また、一方、やはりラップトップ型やノート型のパーソナルコンピュータなどの小型で携帯可能な電子装置に採用するに好適で、ＣＰＵからの高い発熱を筐体内に均一に分散して外部へ放熱を図るため、所謂、ヒートパイプを、蓋側の筐体内において、液晶ディスプレイ等の表示部の裏側に取り付けたものが、例えば、以下の特許文献２により既に知られている。加えて、所謂、サーモサイフォンと呼ばれる現象を利用して高い発熱量のＣＰＵを冷却する、電子装置のための冷却システムも、以下の特許文献３及び４によれば、既に知られている。
【特許文献１】特開２００２−１８９５３５号公報
【特許文献２】特開平８−２８８６８１号公報
【特許文献３】米国特許第６，０９７，５９７号
【特許文献４】米国特許第６，５１０，０５２号
【発明の開示】
【発明が解決しようとする課題】
【０００６】
ところで、上記他の特許文献２〜４に知られる冷却システムでは、ヒートパイプ又はサーモサイフォンと呼ばれる現象を利用し、これを蓋側の筐体内、特に、液晶ディスプレイの裏側に取り付けたものであるが、しかしながら、冷却システム内に液体冷媒を積極的に循環する冷却方式に比較し、その冷却能力が低く、特に、近年の高機能化に伴って発熱量が高いＣＰＵを冷却するには不十分であった。
ＣＰＵ
【０００７】
一方上記の従来技術、特に、特許文献１に開示された冷却システムでは、冷却システム内に循環する液体冷媒と受熱ジャケットの働きにより、高い発熱量のＣＰＵを効率的に冷却することが可能ではある。しかしながら、当該熱を外部に放熱するために蓋側の筐体内に配置された放熱部としては、金属の平板上に金属パイプを這い回して構成される放熱プレートを採用するものであり、その放熱構造からは、必ずしも十分な放熱効果を得ることができるとは言い難かった。
【０００８】
また、高い発熱量のＣＰＵを効率的に冷却するため、比較的多量の液体冷媒を循環することが重要である。しかしながら、液体冷媒を循環する上記特許文献１の冷却システムでは、液体冷媒は、その一部が気化により、特に、上述した弾性体からなるチューブによる接続部から漏出してしまい、そのため、特に、高い冷却能力を維持するためには、サイクルの一部に、液体冷媒を貯留するための冷媒タンクを設ける必要がある。しかしながら、そのために冷媒タンクを本体筐体内に設けた場合、当該筐体内の空間が更に狭小となってしまう等の問題点が指摘されていた。
【０００９】
そこで、本発明は、上述した従来技術における問題点に鑑みて成されたものであり、すなわち、上記ラップトップ型やノート型のパーソナルコンピュータのような小型で携帯可能な電子装置に採用するに適し、かつ、高い冷却能力を発揮するため、その一部に冷媒タンクを形成したラジエータ部を備えた液冷システムと、更には、かかる液冷システムを備えた小型電子装置を提供することをその目的とする。
【課題を解決するための手段】
【００１０】
そして、本発明によれば、上述した目的を達成するため、まず、筐体内に発熱する半導体素子を備えた電子機器のための液冷システムであって、前記半導体素子に熱的に接続され、その発熱を内部に通流する液体冷媒に伝達するための冷却ジャケットと、前記冷却ジャケットにおいて液体冷媒に伝達された熱を機器の外部へ放出するラジエータ部と、そして、前記冷却ジャケットと前記ラジエータ部とを含むループに前記液体冷媒を循環するための循環ポンプとを備えており、前記ラジエータ部は、平面上に、液体冷媒の熱を前記筐体の外部に放熱するため放熱部を備えると共に、当該放熱部を取り囲んで形成した液体冷媒を貯留するためのタンク部を備えている液冷システムが提供される。
【００１１】
また、本発明では、前記の液冷システムにおいて、前記ラジエータ部の放熱部は、前記液体冷媒の流入口と前記液体冷媒の流出口とを有する液流路からなり、前記タンク部は、前記液体冷媒を通流させるための開口部で前記放熱部の液流路と接続され、前記放熱部の流入口と流出口のいずれか一方に接続される導管と交差して前記液体冷媒の貯留部を形成することにより、前記放熱部を回周して配置した貯留部で構成されてもよく、又は、前記放熱部の高さと前記タンク部の高さをほぼ同じ厚さで構成してもよい。また、前記に記載した液冷システムにおいて、前記ラジエータ部の放熱部を、内部に液体冷媒の通流する流路を蛇行して形成してもよく、更には、前記ラジエータ部は、前記放熱部と前記タンクとを一体に形成することが好ましい。その場合、前記ラジエータ部は、前記放熱部と前記タンクとを、板状の金属板により形成することが好ましい。
【００１２】
また、本発明によれば、前記に記載した液冷システムにおいて、前記ラジエータ部の前記放熱部を形成する一方の表面に放熱部材を取り付けたことが好ましく、その場合、前記ラジエータ部の前記放熱部を形成する一方の表面に取り付けた放熱部材を放熱フィンにより構成し、又は、熱伝導に優れた材料からなるコルゲート板により形成することができる。あるいは、前記放熱部を、一方の面に形成された前記液体冷媒の流入口と前記液体冷媒の流出口とを有する液流路と、前記流路が形成された面と反対の面に形成された前記放熱部材で構成し、前記タンク部の貯留部高さを、前記放熱部の液流路と放熱部材の合わせた高さとほぼ同じ高さで構成することが好ましい。そして、前記ラジエータ部を形成する前記タンクの内部には、外部からの液体冷媒を前記タンク内に導入し、又は、前記タンク内の液体冷媒を外部へ導出するための導管が、前記タンクの高さの略１／２以下の範囲で設けることが好ましい。
【００１３】
更に、本発明によれば、やはり上述した目的を達成するため、発熱する半導体素子をその内部に配置した第１の筐体と、当該第１の筐体に対して可動で、かつ、その一部には少なくともな表示部を備えた第２の筐体とを備えた小型電子装置であって、前記に記載した液冷システムを、前記第２の筐体に取り付けた小型電子装置が提供されている。なお、前記に記載した小型電子装置において、前記液冷システムは、前記第２の筐体に備えた前記表示部の裏側に取り付けることが好ましい。
【発明の効果】
【００１４】
以上に述べた本発明によれば、以下の詳細な説明からも明らかとなるように、本発明になる液冷システムによれば、特に、放熱部とタンク部とを一体に構成したラジエータ部の働きにより、ラップトップ型やノート型のパーソナルコンピュータのような小型で携帯可能な電子装置の冷却システムとして採用するに適し、更には、かかる液冷システムを備えた小型電子装置によれば、高い冷却能力を発揮することが可能となるという優れた効果を発揮する。
【発明を実施するための最良の形態】
【００１５】
以下、本発明の実施の形態について、添付の図面を用いて詳細に説明する。
まず、添付の図１は、本発明の一実施の形態になる液冷システムを備えた電子機器の全体構成が示されている。すなわち、本例では、本発明の液冷システムを、小型で携帯可能な電子装置である、ノート型のパーソナルコンピュータに適用した例を示している。
【００１６】
図１に示すように、このノート型のパーソナルコンピュータは、図中に破線でその輪郭が示された、例えば、プラスチックの成型体からなる本体部分（筐体）１０と、この本体部分に対し、例えば、ヒンジ機構により、本体部分の一辺に沿った回転軸を中心として回動可能に取り付けられた部分（蓋筐体）２０とを備えている。そして、図中に実線で示すように、本体部分（筐体）１０の内部には、近年、その小型化及び高集積化、更には、その高機能化が著しく、そのため発熱が増大する傾向にある、例えばＣＰＵ（Central Processing Unit）に代表される半導体集積回路素子、即ち、発熱体３０が取り付けられている。
【００１７】
なお、この本体部分（筐体）１０の上面には、ここでは図示しないが、電源スイッチを含む各種のスイッチやインジケータランプ、更には、キーボードやタッチマウスが設けられ、また、その側面部には、各種の接続端子と共に、フロッピーディスク（登録商標）やＣＤ、ＤＶＤ等の、所謂、外部情報記録媒体を駆動する各種のドライバ装置などが取り付けられている。また、この本体部分（筐体）１０の内部には、例えば、ハードディスク装置やその他の必要な各種の部品が搭載されている。
【００１８】
そして、図からも明らかなように、上記本体部分（筐体）１０の一部には、本発明の液冷システムの一部を構成する、所謂、受熱（冷却）ジャケットと呼ばれる部材４０が、上記発熱体３０の表面に熱的に接続して（例えば、伝熱性のグリースを介して）取り付けられている。なお、上述したように、この受熱ジャケット４０の内部には、例えば、流路が内部を蛇行して形成されており、その流路内に液体冷媒を通流させる。これにより、上記発熱体３０であるＣＰＵからの発熱を上記ジャケット４０内を流れる冷媒に伝達し、もって、発熱体３０を高効率で冷却している。
【００１９】
また、この本体部分（筐体）１０の内部には、やはり、本発明の液冷システムの一部を構成する、冷媒の駆動ポンプ５０が取り付けられており、もって、上記受熱ジャケット４０や、以下に詳細に説明するラジエータ部１００を含めたサイクル内に、例えば、水やエチレングリコール等の液体冷媒を循環している（図中の矢印を参照）。また、図中の符号５１、５２、５３は、上記液冷システムの各部の間を接続するための配管チューブを示している。なお、これらの配管チューブとしては、一般的には、金属製のチューブが採用されるが、特に、その可動部分には、ブチルゴムなど、壁面からの冷媒の透過の少ない弾性体からなるチューブが採用されている。
【００２０】
一方、上記本体部分（筐体）１０に対して回動可能に取り付けられた部分（蓋筐体）２０の表面（図の右側面）には、図示しないが、例えば、液晶パネル等の表示装置が取り付けられており、そして、その裏面側には、板状のラジエータ部１００が取り付けられている。このラジエータ部１００は、図１からも明らかなように、その中央部には、蛇行して形成され、その内部に液体冷媒を通流する流路１１０が設けられており、これにより放熱部を形成している。更に、この放熱部を形成する蛇行した流路１１０を取り囲むように、即ち、枠状に、その内部に液体冷媒を貯留するためのタンク部１２０が形成されている。そして、このタンク部１２０内には、例えば、５年間の製品保障期間に亘り、液体冷媒の外部への漏出をも考慮し、液冷システムが必要な冷却能力を維持するために十分な量の、液体冷媒（例えば、水、又は、プロピレングリコール等、所謂、不凍液を所定の割合で混合した水など）が保持されている。
【００２１】
なお、上記したラジエータ部１００の裏側（即ち、液晶パネルが取り付けられる側とは反対の側面）では、図２に示すように、特に、その表面側には放熱部を形成する蛇行流路１１０が形成された部分には液体冷媒を通流する流路は形成されず（即ち、その表面は平坦になっている）、例えば、コルゲート板又は、放熱フィンなどからなる放熱部材１３０が取り付けられている。なお、この放熱部材１３０を構成するコルゲート板、又は、放熱フィンは、熱伝導に優れた材料からなるにより形成される。
【００２２】
そして、図３（ａ）及び３（ｂ）に示すように、上述したラジエータ部１００は、例えば、銅やアルミニウムのような、伝熱性に優れた金属の板状部材の一対（２枚）によって形成されている。即ち、図３（ａ）は、上記ラジエータ部１００の表面側（即ち、液晶パネルの取り付け側）の板状部材１０１をその内側から見た平面図を、そして、図３（ｂ）は、他方の板状部材である裏面側（即ち、液晶パネルの反対側）の板状部材１０１’を、やはり、その内側から見た平面図を示している。
【００２３】
上記の図３（ａ）からも明らかなように、まず、表面側の板状部材１０１の表面では、その中央部（即ち、放熱部を形成する）に上記流路１１０を形成する凹（溝）部１１１が蛇行して形成されており、かつ、この蛇行した流路１１０の凹部１１１を取り囲むように、上記枠状のタンク部１２０を形成するための凹部１２１が形成されている。なお、図中において、符号１４０は、外部からの液体冷媒を上記蛇行した流路１１０内に導くための入口導管であり、また、符号１５０は、上記流路１１０から液体冷媒をタンク部１２０へ導くための通路を示している。タンク部１２０は、流路１１０を回周するように配置されるので、ラジエータ部１００がいかなる方向を向いてもタンク部１２０内で生ずる液面の高さが、どこも同じ高さに保たれる。また、このため、入口導管１４０は、タンク部１２０の凹部１２１と交差することになる。また、図中の矢印は、上記ラジエータ部１００の蛇行した流路１１０及びタンク部１２０における液体冷媒の流れの方向を示す。
【００２４】
一方、上記図３（ｂ）からも明らかなように、裏面側の板状部材１０１’の表面では、その中央部（即ち、放熱部を形成する）には流路１１０を形成する凹部は形成されておらず、上記表面側の板状部材１０１に形成した凹部１２１に対応して、枠状のタンク部１２０を形成するための凹部１２１’が形成されている。また、この裏面側の板状部材１０１’の下部には、上記タンク部１２０の冷媒出口を形成するための凹部１４１’が形成されている。そして、図中の符号１６０は、この冷媒出口の一部の取り付けられた冷媒の排出のための出口導管を示している。なお、この図３（ｂ）においても、矢印は、上記ラジエータ部１００のタンク部１２０における液体冷媒の流れの方向を示している。なお、ラジエータ部１００を構成するこれら一対（２枚）の金属の板状部材は、例えば、プレス加工等により容易に、かつ、大量に製造することが可能であり、これにより、液冷システムを比較的安価に提供することができる。また、上記冷媒の入口導管１４０及び出口導管１６０も、上記板状部材１０１、１０１’と同様に、金属の管により構成されている。
【００２５】
更に、添付の図４（ａ）及び（ｂ）には、上述した表面側の板状部材１０１と裏面側の板状部材１０１’とを互いに重ね合わせて接合した状態における一部の拡大断面が示されておいる（図１の一点鎖線ＩＶ−ＩＶを参照）。なお、図４（ａ）には、上記したラジエータ部１００の裏側の放熱部に伝熱性に優れた金属のコルゲート板１３１を取り付けて放熱部材１３０とした例が、一方、図４（ｂ）には、これに代えて、例えば、放熱フィン１３２を（本例では、一体に形成して）放熱部材１３０とした例を示している。
【００２６】
続いて、上記で詳細にその構造を説明したラジエータ部１００を含む、本発明の一実施の形態になる液冷システムの動作について、以下に説明する。
【００２７】
上記の図１及び２を参照し、まず、上記受熱ジャケット４０は、上記発熱体３０であるＣＰＵからの発熱を受熱（吸熱）し、その内部に流れる液体冷媒に伝達する。一方、液体冷媒は、上記駆動ポンプ５０により駆動されて、液冷システムを構成するループ内を循環しており、即ち、受熱ジャケット４０でＣＰＵの発熱を受熱し、その後、駆動ポンプ５０を通り、上記ラジエータ部１００に到る。より詳細には、上記駆動ポンプ５０からの液体冷媒は、まず、入り口導管１４０を通って、上記ラジエータ部１００の蛇行した流路１１０（溝１１１）の一端に流入り、その後、蛇行した流路１１０を順次流動しながら（図中の矢印を参照）、流路１１０（溝１１１）の他端に到る。この時、蛇行した流路１１０を流れる液体冷媒は、その受熱した熱を、ラジエータ部１００を構成する板状部材１０１、１０１’に伝達し、更には、特に、ラジエータ部を構成する裏面側の板状部材１０１’の表面から放熱部材１３０へ熱を伝達して外部の空気に放熱を行う。その後、放熱した液体冷媒は、通路１５０を通って枠状のタンク部１２０（溝１２１、１２１’）に入る。
【００２８】
そして、上記タンク部１２０内に流入した液体冷媒は、その内部に貯留された多量の液体冷媒内に拡散されながら、図に矢印で示す方向に移動する。その後、このタンク部１２０内の液体冷媒は、その下部に形成された冷媒出口（凹部１４１’）を通り、更には、上記出口導管１６０を通って、再び、上記受熱ジャケット４０へ戻る（即ち、液冷システムを構成するループ内を循環する）。
【００２９】
以上に説明したように、本発明の一実施の形態になる液冷システムでは、特に、放熱部を構成するラジエータ部１００には、蛇行した流路１１０とその一方（液晶パネルと反対側）の表面に取り付けた放熱部材１３０に加えて、更に、当該蛇行した流路１１０を取り囲むようにタンク部１２０が一体に形成されている。そして、かかる構成によれば、上記蛇行した流路１１０を流れる際、放熱部材１３０によって放熱されて冷却された液体冷媒は、更に、より多量の液体冷媒を内部に貯留するタンク部１２０に流入・拡散することから、ラジエータ部１００全体での温度の不均一を解消し、即ち、ラジエータ部１００全体の温度の均一にする。このことよれば、ラジエータ部１００での放熱効果を向上すると共に、特に、上記ラジエータ部１００と共に蓋体筐体２０に（隣接して）配置される液晶パネルなどからなる表示部を、熱の偏在から解消することが出来る。即ち、ラジエータ部１００全体の温度の均一により、良好な表示画像を得ることが可能となる。
【００３０】
また、上記のラジエータ部１００によれば、従来は個別の設けられていた放熱部とタンク部とを一体にして、外形略板状の形状の部材として構成することが可能であり、特に、上記の実施の形態で示したように、ノート型パーソナルコンピュータの蓋体筐体２０内に取り付けるのに好適である。加えて、液冷システムを構成する部品からタンク部を削除することが可能となることから、かかる電子装置への液冷システムの組み込み作業が容易になる。
【００３１】
更に、上記のラジエータ部１００の構成によれば、一対（２枚）の金属の板状部材を、更には、入口導管１４０と出口導管１６０を形成する管を間に挟んで、対向面を接続するだけでよく、そのため、金属の板状部材をプレス加工等により加工すると共に、板状部材の間を、例えば、電気溶接により接合することにより、容易に、かつ、大量に製造することが可能である。
【００３２】
続いて、添付の図５及び図６により、本発明の他の実施の形態になる液冷システムについて説明する。
【００３３】
まず、図５には、他の実施の形態になる液冷システムが、上記図２と同様に、特に、ラジエータ部１００を、その裏側（即ち、液晶パネルが取り付けられる側とは反対の側面）から見た状態を示しており、なお、ここでも、上記図２に示したと同じ部材は、同じ参照符号で示し、その説明を省略している。
【００３４】
この図５からも明らかなように、この他の実施の形態になる液冷システムでは、更に、上記ラジエータ部１００の下方に冷却ファン２００を取り付け（本例では２個）、装置外部の空気（図中の矢印Ａを参照）を取り込んで、ラジエータ部１００の放熱部材１３０へ向けて放出し（図中の矢印Ｂを参照）、もって、放熱部材１３０からの放熱を積極的に促進するものである。
【００３５】
なお、かかる他の実施の形態になる液冷システムを、小型で携帯可能な電子装置である、ノート型のパーソナルコンピュータに組み込んだ状態が、図６に示されている。この図からも明らかなように、上記ラジエータ部１００と冷却ファン２００は、ノート型パーソナルコンピュータの蓋体筐体２０の内部に取り付けられている。ここで、符号３００は、上記ラジエータ部１００を外気と接触させるために蓋体筐体２０の裏面に開口した開口部であり、この開口部３００には、通常、例えば、メッシュ状の部材あら構成される、所謂、ダストカバー３５０が取り付けられる。
【００３６】
上述した他の実施の形態になる液冷システムによれば、上記実施の形態液冷システムに加えて、更に、冷却ファン２００を備えていることから、装置外部の空気を取り込んで放熱部材１３０での放熱作用を積極的に促進することから、より効率的で冷却能力の高い液冷システムを得ることが可能となる。
【００３７】
なお、上記の図７にも示すように、本発明の液冷システムが適用されているノート型のパーソナルコンピュータは、通常、その蓋体筐体２０を垂直に起こした状態で使用される。そのため、上記の図３（ａ）及び（ｂ）に示すように、ラジエータ部１００に形成したタンク部１２０の冷媒出口（凹部１４１’）は、タンク内に空気が入っても、液体冷媒は底部に集まることから、その下部に形成されている。しかしながら、本発明が係る小型で携帯可能な電子装置は、必ずしもラジエータ部１００を垂直に起こした状態で使用するものばかりとは限られない。
【００３８】
そこで、ラジエータ部１００をほぼ横方向に向けて使用して使用した場合にも好適な、本発明の変形例になる構造を、以下の図７に示す。なお、ここでも、上記に示したと同じ部材は、同じ参照符号で示し、その説明を省略している。
【００３９】
すなわち、図からも明らかなように、この変形例になるラジエータ部１００の構造によれば、蛇行した流路１１０を取り囲んで枠状に形成したタンク部１２０の冷媒出口（凹部１４１’）に、更に、導管１２２を取り付けている。そして、この導管１２２の先端開口が、図の左側のタンク部１２０の高さの略中央部に、かつ、タンク部の断面の略中央部に位置するように配置されている。
【００４０】
かかる構成によれば、符号Ｗで示す液体冷媒の液面が図に示すように低下した場合、また、このラジエータ部１００を水平方向に傾斜させた場合、更には、ラジエータ部１００を上下逆転した場合にも、確実に、その内部の液体冷媒をシステム内で循環することが可能となる。即ち、たとえタンク内部の液体冷媒の一部が外部に漏出しても、通常、その内部の半分以上には液体冷媒が満たされていることから、さらには、前記で述べたように、タンク内の液面Ｗの位置は、互いに同一高さに保たれることから、タンク部１２０の高さの略中央部で、かつ、タンク部の断面の略中央部に位置する導管１２２の先端開口は、確実に、液体冷媒中に浸漬することとなり、そのため、確実にタンク内部の液体冷媒を外部に導出することが出来る。
【図面の簡単な説明】
【００４１】
【図１】本発明の一実施の形態になる小型電子装置における冷却システムの配置構成の一例を示すため、装置の斜め前方から見た斜視図である。
【図２】上記小型電子装置における冷却システムの配置構成の一例を示すため、装置の斜め後ろ方から見た斜視図である。
【図３】上記冷却システムのラジエータ部を構成する一対の板状部材の構造を示す平面図である。
【図４】上記ラジエータ部の構造の詳細を示すための一部拡大断面図であり、図１における一点鎖線ＩＶ−ＩＶに沿った切断した断面図である。
【図５】本発明の他の実施の形態になる冷却システムの配置構成の一例を示す斜視図である。
【図６】上記他の実施の形態になる水冷システムを小型電子装置であるノートラップトップ型のパーソナルコンピュータに搭載した状態を示す斜視図である。
【図７】上記ラジエータの変形例の構造を示すための斜視図である。
【符号の説明】
【００４２】
１０  本体部分（筐体）
２０  （蓋筐体）
３０  発熱体（ＣＰＵ）
４０  受熱ジャケット
５０  駆動ポンプ
７１、７２  循環ポンプ
８１、８２…  チューブ（配管）
１００  ラジエータ部
１０１、１０１’  板状部材
１１０  蛇行流路
１２０  タンク部
１２２  導管
１３０  放熱部材
１４０  入口導管
１５０  通路
１６０  出口導管
２００  冷却ファン
３００  開口部
３５０  ダストカバー
【図１】
2006235914.tif 000003
【図２】
2006235914.tif 000004
【図３】
2006235914.tif 000005
【図４】
2006235914.tif 000006
【図５】
2006235914.tif 000007
【図６】
2006235914.tif 000008
【図７】
2006235914.tif 000009